(57)【要約】【課題】貫通孔内における電線の振れ、および貫通孔への高圧洗浄水の突入を防ぐことが可能な防水コネクタを提供する。【解決手段】電線Ｗの端末部に接続された端子金具２０が収容されるハウジング３０と、前記ハウジング３０の後側に装着され、前記電線Ｗを貫通させるとともにその外周面に密着して同電線Ｗの周囲を止水するシール孔４２を有するゴム栓４０と、前記ゴム栓４０の後側に装着され、前記端子金具２０が前後方向に通過可能な貫通孔５１を有する第１ホルダ５０と、前記第１ホルダ５０の後側に装着され、前記電線Ｗが挿通された状態における前記貫通孔５１の隙間に突入する突入部７１を有する第２ホルダ７０と、を備えている。【選択図】図３
2016081671.tif 000002
【特許請求の範囲】
【請求項１】
電線の端末部に接続された端子金具が収容されるハウジングと、
前記ハウジングの後側に装着され、前記電線を貫通させるとともにその外周面に密着して同電線の周囲を止水するシール孔を有するゴム栓と、
前記ゴム栓の後側に装着され、前記端子金具が前後方向に通過可能な貫通孔を有する第１ホルダと、
前記第１ホルダの後側に装着され、前記電線が挿通された状態における前記貫通孔の隙間に突入する突入部を有する第２ホルダと、
を備えた防水コネクタ。
【請求項２】
前記第１ホルダが、前記第２ホルダの幅方向における一端側と他端側とに配されてその間に前記第２ホルダを挟んで前記第２ホルダの前記幅方向の変位を制限する変位制限部を有し、
前記第２ホルダが、前記幅方向における両端部から同幅方向に沿う方向に張り出す張出部を有し、
前記変位制限部が、前記張出部の前記幅方向と略直交する方向における一面側と他面側とに配されてその間に前記張出部を挟んで前記第２ホルダの前記幅方向と略直交する方向の変位を制限するものとされている請求項１に記載の防水コネクタ。
【請求項３】
前記変位制限部が、前記第２ホルダの後面に係止する係止部を有し、前記第２ホルダの後方への離脱を制限するものとされている請求項２に記載の防水コネクタ。
【発明の詳細な説明】
【技術分野】
【０００１】
本発明は、防水コネクタに関する。
【背景技術】
【０００２】
従来、電線の端末部に固着された端子金具が収容されるハウジングを有し、その後側に、電線を貫通させるとともにその外周面に密着して電線の周囲を止水するシール孔を有するゴム栓が装着された防水コネクタが知られている（例えば下記特許文献１に記載）。ゴム栓の後側には、ゴム栓を取り付け状態に保持するためのリアホルダが装着されている。リアホルダには、端子金具が前後方向に通過可能な貫通孔が形成されている。
【先行技術文献】
【特許文献】
【０００３】
【特許文献１】特開２００２−１１０２８９号公報
【発明の概要】
【発明が解決しようとする課題】
【０００４】
ところで、リアホルダに設けられた貫通孔は、端子金具の通過を許容する大きさをなしているため、電線が挿通された状態であっても比較的大きな隙間が形成される。このため、防水コネクタの後方に引き出されている電線が屈曲すると、貫通孔内において電線が振れ、それに伴ってゴム栓のシール孔が変形する等し、シール性能が低下する虞がある。また貫通孔の隙間に高圧洗浄水が突入してゴム栓にあたり、ゴム栓が損傷する等してシール性能が低下する虞もある。
【０００５】
本発明は上記のような事情に基づいて完成されたものであって、貫通孔内における電線の振れ、および貫通孔への高圧洗浄水の突入を防ぐことが可能な防水コネクタを提供することを目的とする。
【課題を解決するための手段】
【０００６】
本発明防水コネクタは、電線の端末部に接続された端子金具が収容されるハウジングと、前記ハウジングの後側に装着され、前記電線を貫通させるとともにその外周面に密着して同電線の周囲を止水するシール孔を有するゴム栓と、前記ゴム栓の後側に装着され、前記端子金具が前後方向に通過可能な貫通孔を有する第１ホルダと、前記第１ホルダの後側に装着され、前記電線が挿通された状態における前記貫通孔の隙間に突入する突入部を有する第２ホルダと、を備えたものである。
【発明の効果】
【０００７】
本発明によれば、第２ホルダに設けられた突入部によって第１ホルダの貫通孔の隙間が埋められることから、貫通孔内における電線の振れを制限でき、ゴム栓のシール性能の低下を防ぐことができる。
【図面の簡単な説明】
【０００８】
【図１】本実施例におけるサブコネクタがフレームの嵌合凹部に嵌合した状態を示す一部拡大断面図
【図２】サブコネクタを示す背面図
【図３】サブコネクタを示す断面図であって、図２のＡ−Ａ位置における断面に相当する断面図
【図４】ハウジングを示す背面図
【図５】第１ホルダを示す正面図
【図６】第１ホルダを示す背面図
【図７】第１ホルダを示す平面図
【図８】第２ホルダを示す正面図
【図９】第２ホルダを示す平面図
【発明を実施するための形態】
【０００９】
本発明の好ましい形態を以下に示す。
本発明の防水コネクタは、前記第１ホルダが、前記第２ホルダの幅方向における一端側と他端側とに配されてその間に前記第２ホルダを挟んで前記第２ホルダの前記幅方向の変位を制限する変位制限部を有し、前記第２ホルダが、前記幅方向における両端部から同幅方向に沿う方向に張り出す張出部を有し、前記変位制限部が、前記張出部の前記幅方向と略直交する方向における一面側と他面側とに配されてその間に前記張出部を挟んで前記第２ホルダの前記幅方向と略直交する方向の変位を制限するものとしてもよい。
【００１０】
このような構成によれば、第１ホルダに設けられた変位制限部が、第２ホルダの幅方向および幅方向と略直交する方向の変位を制限するから、例えばそれぞれの方向の変位を制限する変位制限部を第１ホルダに別々に設ける場合に比して、第１ホルダをシンプルな構造にすることができる。
【００１１】
また、本発明の防水コネクタは、前記変位制限部が、前記第２ホルダの後面に係止する係止部を有し、前記第２ホルダの後方への離脱を制限するものとしてもよい。このような構成によれば、変位制限部が離脱防止部を兼ねるから、第１ホルダの構造をよりシンプルにすることができる。
【００１２】
＜実施例＞
以下、本発明を具体化した一実施例について、図１〜図９を参照しつつ詳細に説明する。
本実施例における防水コネクタは、フレーム１０に設けられた嵌合凹部１１に嵌合されるサブコネクタＣである。以下、各構成部材において、図１の左側を前方、右側を後方、上側を上方、下側を下方として説明する。
【００１３】
フレーム１０は合成樹脂製であって、その内部には、前後方向に開口する嵌合凹部１１が上下一対（図１では上側のみ示す）形成されている。嵌合凹部１１を正面から見ると、横方向に長い断面長円形状をなしている。嵌合凹部１１の内周面における後端寄りの部分は、全周に亘ってゴム栓４０が密着可能なシール面１２とされている。嵌合凹部１１の内周面におけるシール面１２よりも前側には、サブコネクタＣを抜け止するための抜け止部（図示せず）が設けられている。
【００１４】
サブコネクタＣは、図３に示すように、電線Ｗの端末部に固着された端子金具２０が収容されるハウジング３０と、ハウジング３０の後側に装着されるゴム栓４０と、ゴム栓４０の後側に装着される第１ホルダ５０と、第１ホルダ５０の後側に装着される第２ホルダ７０とを備えている。
【００１５】
端子金具２０は金属製であり、全体として前後方向に細長い形状をなし、その前端部には前方に突出する細長いタブ部２１が備えられ、後端部には、電線Ｗの端末部に圧着される電線圧着部２２が備えられている。そして、タブ部２１と電線圧着部２２との間に設けられた端子本体部２３には、端子金具２０が上下方向において正しい向きでハウジング３０に挿入されるとハウジング３０に形成された溝部３２に入り込むスタビライザ２４が突設されている。このスタビライザ２４により、端子金具２０が上下方向において誤った向きでハウジング３０に挿入されるとその挿入が阻まれるようになっている。
【００１６】
ハウジング３０は合成樹脂製であって、嵌合凹部１１にガタ付きなく嵌合し得る形状及び寸法を備えた横方向に長い長円形断面を有している。ハウジング３０の内部には、後方から端子金具２０が収容されるキャビティ３１が、上下２段にわけて設けられている。
【００１７】
各キャビティ３１には、端子金具２０に設けられたスタビライザ２４が入り込み可能な溝部３２が設けられ、溝部３２の前端部は、端子金具２０が正規の挿入位置に至るとスタビライザ２４が当接して端子金具２０を前止まり状態に保持するストッパ３３とされている。また、キャビティ３１には、端子金具２０の端子本体部２３に係止して端子金具２０の後方への抜け止めを図る樹脂ランス３４が設けられている。
ハウジング３０の幅方向における両端部には、第１ホルダ５０に設けられた組み付けピン５３が係止可能な係止受け部３５が設けられている（図４参照）。
【００１８】
ゴム栓４０は、ハウジング３０の後面に対してその全体に亘って密着可能な略長円形断面を有する厚肉の板状をなし、その外周には、複数のリップ部４１が形成されている。このリップ部４１はハウジング３０の外面よりも外側へ突出しており、嵌合凹部１１のシール面１２に対して弾性的に潰された状態で水密状に密着する。
【００１９】
ゴム栓４０には、電線Ｗを貫通させるとともにその外周面に密着して同電線Ｗの周囲を止水するシール孔４２が形成されている。シール孔４２は、各キャビティ３１と対応する位置に設けられ、ゴム栓４０を前後方向に貫通している。また、ゴム栓４０には、第１ホルダ５０に設けられた組み付けピン５３を水密状態に貫通させるための組み付けピン用孔（図示せず）が形成されている。
【００２０】
第１ホルダ５０は、ハウジング３０の後面と略同形の略長円形断面を有する厚板形状をなしている。第１ホルダ５０は、端子金具２０が前後方向に挿通可能な大きさをなす貫通孔５１を有している。貫通孔５１は、ハウジング３０のキャビティ３１およびゴム栓４０のシール孔４２に対応する位置に設けられて第１ホルダ５０を前後方向に貫通している。貫通孔５１は、ハウジング３０のキャビティ３１と略同形の断面形状とされ、前後方向から見ると第１ホルダ５０の短手方向に長い長方形状をなしている。貫通孔５１は、ハウジング３０のキャビティ３１に対応して上下２段にわけて設けられている。以後、上段に並べられた貫通孔５１を上側貫通孔５１Ｕ、下段に並べられた貫通孔５１を下側貫通孔５１Ｓと称する。
【００２１】
貫通孔５１には、キャビティ３１の溝部３２と対応する位置に凹部５２が設けられている（図５参照）。凹部５２は、各貫通孔５１の幅方向における略中央部に凹み形成されている。凹部５２は、貫通孔５１の前後方向の全体にわたって形成され、端子金具２０が上下方向において正しい向きで挿入されると、スタビライザ２４が凹部５２に入り込んでその前進が許容される。凹部５２は、上側貫通孔５１Ｕにおいてはその下面側に、下側貫通孔５１Ｓにおいてはその上面側に形成されている。
【００２２】
貫通孔５１の前端部および後端部には、図３に示すように、前端または後端から貫通孔５１の前後方向における中心に向かって次第に開口幅を狭める向きで傾斜するテーパ部６５が設けられている。テーパ部６５は、上側貫通孔５１Ｕの前端部においては上面側および左右両面側、下側貫通孔５１Ｓの前端部においては下面側および左右両面側（図５参照）、上側貫通孔５１Ｕの後端部においては下面側および左右両面側、下側貫通孔５１Ｓの後端部においては上面側および左右両面側（図６参照）に形成されている。また、上側貫通孔５１Ｕの後端部における上面側と、下側貫通孔５１Ｓの後端部における下面側とには、貫通孔５１をテーパ部６５よりも大きく開口させる傾斜をなす開口傾斜面６６が設けられている（図６参照）。
【００２３】
第１ホルダ５０には、ゴム栓４０を貫通してハウジング３０の係止受け部３５に係止し、ゴム栓４０および第１ホルダ５０を組み付け状態に保持する組み付けピン５３が設けられている（図７参照）。組み付けピン５３は、第１ホルダ５０の前面においてその幅方向の両端部に一ずつ突設されている。組み付けピン５３のうちゴム栓４０内に配される部分は、組み付けピン用孔に密着可能な円柱形状をなしている。組み付けピン５３の突出端部には、ハウジング３０の係止受け部３５に係止する爪部５４が設けられている。
【００２４】
そして、第１ホルダ５０は、図２に示すように、第２ホルダ７０の左右方向（第１ホルダ５０における長手方向）における一端側と他端側とに配されてその間に第２ホルダ７０を挟んで第２ホルダ７０の左右方向（幅方向）の変位を制限するとともに後述する張出部７３の上下方向（第１ホルダ５０における短手方向）の一面側と他面側とに配されてその間に張出部７３を挟んで第２ホルダ７０の上下方向（幅方向と略直交する方向）の変位を制限する変位制限部５５を有している（図２および図６参照）。
【００２５】
変位制限部５５は、図７に示すように、第１ホルダ５０の後面に突設されている。変位制限部５５は、第１ホルダ５０の長手方向における両端部に、上下一対ずつ設けられている。上下一対の変位制限部５５のうち上側の変位制限部５５は上側貫通孔５１Ｕに並び、下側の変位制限部５５は下側貫通孔５１Ｓに並んで設けられている（図６参照）。上下一対の変位制限部５５の間には、後述する張出部７３が後方から差し入れ可能な間隔があいている。なお、変位制限部５５は、第１ホルダ５０の長手方向および短手方向において対称な形状をなしている。
【００２６】
各変位制限部５５は、図７に示すように、第１ホルダ５０の後面に立設された脚部５６と、脚部５６の先端部において内側（第１ホルダ５０の左右方向における中心側）に突出された係止部５７とを有している。係止部５７は、図６に示すように、脚部５６の上下方向における全幅から内側に突出している。係止部５７は、第２ホルダ７０の後面に係止し、第２ホルダ７０の後方への離脱を制限する。係止部５７の前面は、前後方向に対して略直交する（脚部５６に対して略直角に切り立つ）係止面５８とされている（図７参照）。
【００２７】
各変位制限部５５の突出端部には、図６に示すように、上下方向の寸法を先端に向かって次第に狭めるように傾く傾斜をなすテーパ面５９が形成されている。テーパ面５９は、各変位制限部５５の上下両側に形成されている。
【００２８】
また、各変位制限部５５の突出端部（係止部５７の後端部）には、図７に示すように、第２ホルダ７０の組み付け時に第２ホルダ７０が係止部５７に当接して係止部５７を乗り越える動作を誘導する誘導面６１が形成されている。誘導面６１は、変位制限部５５の突出端から係止面５８に向かって次第に内側への突出寸法が増すように傾斜している。
【００２９】
各変位制限部５５のうち外側（第１ホルダ５０の左右方向における端側）に位置する面は、図６および図７に示すように、上下方向における中心部が外側に膨らむように湾曲した湾曲面６２とされている。湾曲面６２は、変位制限部５５の前後方向における全体にわたって形成されている。
【００３０】
また、各変位制限部５５のうち内側に位置する面は、図７に示すように、誘導面６１を除き、左右の変位制限部５５において互いに略平行をなして対向する第１対向面６３とされている。第１対向面６３は、湾曲していない平坦な面とされている。上下一対の変位制限部５５において第１対向面６３は、左右方向における位置が揃っている（図６参照）。
【００３１】
上下の変位制限部５５において互いに対向する面のうちテーパ面５９を除く部分は、互いに略平行をなして対向する第２対向面６４とされている（図６参照）。第２対向面６４は平坦な面であり、上下方向に対して略直角をなす面とされている。左右の変位制限部５５において第２対向面６４は、上下方向における位置が揃っている。なお、変位制限部５５は、図６に示すように、後方（背面）から見ると第１ホルダ５０の外周面から外側に突出しないように設けられている。
【００３２】
第１ホルダ５０の後側に装着される第２ホルダ７０は、電線Ｗの端末部に固着された端子金具２０がハウジング３０に収容された後に後方から組み付けられるものである。
【００３３】
第２ホルダ７０は、電線Ｗが挿通された状態における貫通孔５１の隙間に突入する突入部７１を有している（図３参照）。第２ホルダ７０は、上側貫通孔５１Ｕに突入する突入部７１を有するものと下側貫通孔５１Ｓに突入する突入部７１を有するものとで別体に設けられている。上側貫通孔５１Ｕに突入する突入部７１を有する第２ホルダ７０と下側貫通孔５１Ｓに突入する突入部７１を有する第２ホルダ７０とは同形状をなしている。
【００３４】
第２ホルダ７０は、一段に並列した全ての貫通孔５１にわたる幅寸法を有する本体部７２を備えている（図２参照）。本体部７２は、横方向に細長い形状をなしている。
【００３５】
突入部７１は、貫通孔５１に対応して複数が設けられ、全ての突入部７１は略同形状をなしている。各突入部７１は、図９に示すように、平面視略長方形状をなし、その幅寸法は、貫通孔５１の幅寸法と同等の寸法とされている。突入部７１の前端の両角部は斜めに削られた形状をなしている。突入部７１の突出寸法は、図３に示すように、貫通孔５１の前後方向の寸法よりもわずかに小さく、貫通孔５１のうち前側のテーパ部６５を除くほぼ全長にわたる寸法とされている。
【００３６】
突入部７１は、図８に示すように、本体部７２の前面のうち高さ方向における略半分の領域に突設されている。突入部７１は、本体部７２の上面（図８における上面）に沿って前方に向かって突設され、突入部７１の上面と本体部７２の上面とは段差なく連なっている。
【００３７】
突入部７１の断面形状は、貫通孔５１の略半分を埋めることが可能な形状とされている。突入部７１は、図３に示すように、上側貫通孔５１Ｕに対してはその上側略半分、下側貫通孔５１Ｓに対してはその下側略半分を埋めるものとされている。
【００３８】
突入部７１の上面（図８における上面）は平坦な面とされ、下面（図８における下面）は貫通孔５１の断面形状に整合する形状に形成されている。詳しくは、突入部７１の下面（図８における下面）は、上側貫通孔５１Ｕにおいてはその上面、下側貫通孔５１Ｓにおいてはその下面の形状に整合するように凹凸形状が形成されている。すなわち、突入部７１の下面（図８における下面）は、その幅方向における中心部が下側に突出し、その両側が上側に凹んだ形状をなしている。
【００３９】
そして、第２ホルダ７０には、図８に示すように、左右方向（幅方向）における両端部から左方または右方（同幅方向に沿う方向）に張り出す張出部７３が設けられている。左右一対の張出部７３は、本体部７２の幅方向における両端部において図８における上方に立ち上げられた立上部７４の上端に設けられ、本体部７２よりも一段上側に位置している。張出部７３は、本体部７２の図８における上面と略平行な板面を有する薄い板状をなし、その厚さ寸法は、重ねられた２枚の張出部７３によって上下一対の変位制限部５５の間の隙間が埋められる寸法とされている。なお、張出部７３の前後方向の寸法は、本体部７２および立上部７４の前後方向の寸法と同等とされている（図９参照）。
【００４０】
次に、サブコネクタＣを組み付ける作業の一例を説明する。
まず、ハウジング３０にゴム栓４０および第１ホルダ５０を装着する。ハウジング３０の後側にゴム栓４０を密着させるようにして配置し、ゴム栓４０を後方から挟むようにして第１ホルダ５０をハウジング３０に組み付ける。このとき、第１ホルダ５０の組み付けピン５３をゴム栓４０の組み付けピン用孔に貫通させるとともに、ハウジング３０の係止受け部３５に係止させる。これにより、ゴム栓４０はハウジング３０と第１ホルダ５０とに密着した状態で保持される。
【００４１】
次いで、電線Ｗの端末部に接続された端子金具２０をハウジング３０に収容する。端子金具２０を貫通孔５１からシール孔４２に順に貫通させてキャビティ３１内に挿入する。キャビティ３１に挿入された端子金具２０は、樹脂ランス３４が端子本体部２３に係止するとともにスタビライザ２４がストッパ３３に当接することで挿抜両方向への移動を制限された状態に保持される。
【００４２】
次に、第２ホルダ７０を装着する。上下２段の貫通孔５１から後方に引き出された電線Ｗの束の上側および下側から一対の第２ホルダ７０を接近させ、互いの張出部７３を付き合わせた状態にする。そして、各突入部７１が各貫通孔５１の所定の位置に突入するようにしつつ、突き合わされた張出部７３を上下一対の変位制限部５５の間に差し入れる（図２参照）。このとき、付き合わされた上下の張出部７３は、第１ホルダ５０の上下一対の変位制限部５５の間にほぼ隙間なく差し入れられる。また、第２ホルダ７０が第１ホルダ５０の後側に組み付けられた状態では、変位制限部５５の係止部５７が第２ホルダ７０の両端部に係止し、第２ホルダ７０の後方への離脱が制限される。また、左右一対の変位制限部５５の第１対向面６３によって第２ホルダ７０は左右方向の両側が挟まれ、左右方向の変位が制限されるとともに、上下一対の変位制限部５５の第２対向面６４によって張出部７３の上下両側が挟まれ、第２ホルダ７０の上下方向の変位が制限される。これにより、第２ホルダ７０は、第１ホルダ５０の後側に固定される。
こうして、サブコネクタＣの組み付け作業が完了する。
【００４３】
サブコネクタＣの組み付けが完了した状態では、図２に示すように、上下の第２ホルダ７０の間に電線Ｗが一括して引き出される電線導出窓７５が形成されている。電線導出窓７５は、すべての貫通孔５１にわたる横方向に長い長方形状をなし、各貫通孔５１の上下方向における略半分ずつが電線導出窓７５に臨んで配されている。各貫通孔５１における電線導出窓７５に臨む部分は、電線Ｗの両側にわずかな隙間のみを残してほぼ全体が電線Ｗで埋められている。また、第２ホルダ７０は、第１ホルダ５０の後面のうち上側貫通孔５１Ｕよりも上側の部分、および下側貫通孔５１Ｓよりも下側の部分の略全体を覆っている。なお、第２ホルダ７０の上面と第１ホルダ５０の上面、第２ホルダ７０の下面と第１ホルダ５０の下面とは上下方向の段差が形成されないように揃って配されている。
【００４４】
次に、上記のように構成された実施例の作用および効果について説明する。
本実施例のサブコネクタＣは、電線Ｗの端末部に接続された端子金具２０が収容されるハウジング３０を有し、ハウジング３０の後側には、電線Ｗを貫通させるとともにその外周面に密着して電線Ｗの周囲を止水するシール孔４２を有するゴム栓４０が装着され、ゴム栓４０の後側には、端子金具２０が前後方向に挿通可能な貫通孔５１を有する第１ホルダ５０が装着され、第１ホルダ５０の後側には、電線Ｗが挿通された状態における貫通孔５１の隙間に突入する突入部７１を有する第２ホルダ７０が装着されている。この構成によれば、第２ホルダ７０の突入部７１によって第１ホルダ５０の貫通孔５１の隙間が埋められるから、貫通孔５１内における電線Ｗの振れ、および貫通孔５１への高圧洗浄水の突入を防ぐことができ、もってゴム栓４０のシール性能が低下することを防ぐことができる。
【００４５】
また、第１ホルダ５０が、第２ホルダ７０の左右方向（長手方向）における一端側と他端側とに配されてその間に第２ホルダ７０を挟んで第２ホルダ７０の左右方向（長手方向）の変位を制限する変位制限部５５を有し、第２ホルダ７０が、左右方向（長手方向）における両端部から左方または右方（長手方向に沿う方向）に張り出す張出部７３を有し、変位制限部５５が、張出部７３の上下方向（短手方向）における一面側と他面側とに配されてその間に張出部７３を挟んで第２ホルダ７０の上下方向（短手方向）の変位を制限するものとされている。この構成によれば、第１ホルダ５０に設けられた変位制限部５５が、第２ホルダ７０の左右方向（長手方向）および上下方向（短手方向）の変位を制限するから、例えばそれぞれの方向の変位を制限する変位制限部を第１ホルダに別々に設ける場合に比して、第１ホルダ５０をシンプルな構造にすることができる。
【００４６】
また、変位制限部５５が、第２ホルダ７０の後面に係止する係止部５７を有し、第２ホルダ７０の後方への離脱を制限するものとされている。この構成によれば、変位制限部５５が離脱防止部を兼ねるから、第１ホルダ５０の構造をよりシンプルにすることができる。
【００４７】
＜他の実施例＞
本発明は上記記述及び図面によって説明した実施例に限定されるものではなく、例えば次のような実施例も本発明の技術的範囲に含まれる。
（１）上記実施例では、防水コネクタが、フレーム１０の嵌合凹部１１に嵌合されるサブコネクタＣである場合について説明したが、これに限らず、本発明は、例えば相手側コネクタと一対一で嵌合されるコネクタにも適用することができる。
（２）上記実施例では、第１ホルダ５０には、第２ホルダ７０の上下方向および左右方向の変位を制限する変位制限部５５が設けられているが、これに限らず、例えば上下方向の変位を制限する変位制限部と左右方向の変位を制限する変位制限部とを別々に設けてもよい。
（３）上記実施例では、変位制限部５５が第１ホルダ５０の左右方向における両端部に設けられ、張出部７３が第２ホルダ７０の左右方向における両端部に設けられているが、これに限らず、例えば変位制限部を第１ホルダの上下方向における両端部に設け、張出部を第２ホルダの上下方向における両端部に設けるものとしてもよい。
（４）上記実施例では、変位制限部５５が、第２ホルダ７０の後面に係止する係止部５７を有し、第２ホルダ７０の後方への離脱を制限するものとされているが、これに限らず、例えば第２ホルダの離脱を制限する離脱制限部を第１ホルダの変位制限部とは別に設けてもよく、また第１ホルダに係止して第２ホルダの離脱を制限する離脱制限部を、第２ホルダに設けてもよい。
（５）上記実施例では、ハウジング３０にキャビティ３１が２段にわけて設けられているが、これに限らず、本発明は、ハウジングにキャビティが１段のみまたは３段以上にわけて設けられているコネクタにも適用することができる。
【符号の説明】
【００４８】
Ｃ…サブコネクタ（防水コネクタ）
Ｗ…電線
２０…端子金具
３０…ハウジング
４０…ゴム栓
４２…シール孔
５０…第１ホルダ
５１…貫通孔
５５…変位制限部
５７…係止部
７０…第２ホルダ
７１…突入部
７３…張出部
【図１】
2016081671.tif 000003
【図２】
2016081671.tif 000004
【図３】
2016081671.tif 000005
【図４】
2016081671.tif 000006
【図５】
2016081671.tif 000007
【図６】
2016081671.tif 000008
【図７】
2016081671.tif 000009
【図８】
2016081671.tif 000010
【図９】
2016081671.tif 000011